(57)【要約】設定受付部１により設定された表示方法にしたがって施設特定部６により特定された施設の画像を広域地図に３次元表示してから、その施設の画像をズームアップする。また、ズームアップと同時、あるいは、ズームアップの完了後に施設の画像を回転させる。これにより、施設の位置を大まかに確認してから、施設の全体像を把握することができるようになる。【特許請求の範囲】
【請求項１】
施設の表示方法を設定する設定手段と、表示対象の施設を特定する施設特定手段と、上記設定手段により設定された表示方法にしたがって上記施設特定手段により特定された施設の動画像又は静止画像を地図上に表示する表示手段とを備えた施設表示装置。
【請求項２】
施設特定手段は、ユーザの音声を認識して表示対象の施設を特定することを特徴とする請求の範囲第１項記載の施設表示装置。
【請求項３】
施設特定手段は、ユーザのキー操作から表示対象の施設を特定することを特徴とする請求の範囲第１項記載の施設表示装置。
【請求項４】
表示手段は、施設特定手段により特定された施設の画像を広域地図に３次元表示してから、その施設の画像をズームアップすることを特徴とする請求の範囲第１項記載の施設表示装置。
【請求項５】
表示手段は、ズームアップと同時、あるいは、ズームアップの完了後に施設の画像を回転させることを特徴とする請求の範囲第４項記載の施設表示装置。
【請求項６】
表示手段は、施設の全体がディスプレイの表示領域に収まる範囲内で、施設の画像をズームアップすることを特徴とする請求の範囲第４項記載の施設表示装置。
【請求項７】
表示手段は、ユーザから施設の拡大表示要求を受けると、ズームアップした施設の画像を更にズームアップすることを特徴とする請求の範囲第４項記載の施設表示装置。
【請求項８】
表示手段は、設定手段により設定されたズームアップの速度又は回転の速度で、施設の画像をズームアップ又は回転させることを特徴とする請求の範囲第５項記載の施設表示装置。
【請求項９】
表示手段は、ユーザから施設の再表示要求を受けると、再度、施設の画像を広域地図に３次元表示してから、その施設の画像をズームアップするとともに、その施設の画像を回転させることを特徴とする請求の範囲第５項記載の施設表示装置。
【請求項１０】
表示手段は、ユーザから施設の詳細表示要求を受けると、その施設内の目的地の画像を表示することを特徴とする請求の範囲第１項記載の施設表示装置。
【請求項１１】
表示手段は、現在地から施設特定手段により特定された施設を見る方向を特定し、その方向に合わせて施設の画像を３次元表示することを特徴とする請求の範囲第１項記載の施設表示装置。
【請求項１２】
表示手段は、施設特定手段により特定された施設の表示トーンより、その施設の周辺施設の表示トーンを下げることを特徴とする請求の範囲第１項記載の施設表示装置。
【請求項１３】
表示手段は、施設特定手段により特定された施設の周辺施設の画像を半透明又はモノクロで表示することを特徴とする請求の範囲第１２項記載の施設表示装置。
【請求項１４】
表示手段は、施設特定手段により特定された施設の画像を拡大して表示する一方、その施設の周辺施設の画像を縮小表示又は等倍表示することを特徴とする請求の範囲第１項記載の施設表示装置。
【請求項１５】
表示手段は、施設特定手段により特定された施設の画像を点滅表示することを特徴とする請求の範囲第１項記載の施設表示装置。
【請求項１６】
表示手段は、施設特定手段により特定された施設の表示色を現在の時間帯又は天候に応じて切り替えるとともに、施設の周囲の表示色を現在の季節に応じて切り替えることを特徴とする請求の範囲第１項記載の施設表示装置。
【請求項１７】
表示手段は、施設特定手段により特定された施設のガイダンスを表示することを特徴とする請求の範囲第１項記載の施設表示装置。
【請求項１８】
施設特定手段により特定された施設のガイダンスを音声出力する音声出力手段を設けたことを特徴とする請求の範囲第１項記載の施設表示装置。
【請求項１９】
表示手段は、施設特定手段により特定された施設の画像の他に、現在地から目的地に至る経路又は目的地の関連駐車場を表示することを特徴とする請求の範囲第１項記載の施設表示装置。
【発明の詳細な説明】
【技術分野】  この発明は、例えば、目的地の施設（施設は、建築物などの人工物の他、樹木・自然公園などの自然物も含むものとする）を表示する施設表示装置に関するものである。
【背景技術】  従来の施設表示装置は、ユーザの音声を認識する音声認識手段を搭載しており、ユーザが施設の名称を発声すると、音声認識手段がその施設を特定する。
そして、施設表示装置は、データベースから当該施設の３次元データを読み出し、その３次元データにしたがって施設の静止画像を３次元表示する（例えば、特許文献１参照）。
［特許文献１］
特開平９−１７１３４８号公報（段落番号［００４２］から［００５８］、第１図）
従来の施設表示装置は以上のように構成されているので、表示対象の施設を特定して、その施設の静止画像を３次元表示することができる。しかし、ユーザが施設の表示方法を自由に設定することができず、また、施設の動画像を表示することができないため、施設の全体像を容易に把握することができないことがあるなどの課題があった。
この発明は上記のような課題を解決するためになされたもので、施設の全体像を容易に把握することができる施設表示装置を得ることを目的とする。
【発明の開示】
この発明に係る施設表示装置は、設定手段により設定された表示方法にしたがって施設特定手段により特定された施設の動画像又は静止画像を地図上に表示するようにしたものである。
このことによって、施設の全体像を容易に把握することができる効果がある。
【図面の簡単な説明】  第１図はこの発明の実施の形態１による施設表示装置を示す構成図である。
第２図はこの発明の実施の形態１による施設表示装置の処理内容を示すフローチャートである。
第３図は広域地図上に表示された施設の画像を示す説明図である。
第４図はズームアップされている途中の施設の画像を示す説明図である。
第５図はズームアップされている途中の施設の画像を示す説明図である。
第６図はズームアップ完了後の施設の画像を示す説明図である。
第７図は施設の表示方法の設定処理を示すフローチャートである。
第８図は施設の一覧表を示す説明図である。
第９図は地図データのダウンロードを示すフローチャートである。
第１０図はこの発明の実施の形態２による施設表示装置の処理内容を示すフローチャートである。
第１１図はこの発明の実施の形態３による施設表示装置を示す構成図である。
第１２図は施設の詳細表示内容を示す説明図である。
第１３図はこの発明の実施の形態６による施設表示装置を示す構成図である。
第１４図は現在地から施設を見る方向を示す説明図である。
第１５図は方向Ａから見たときの施設の画像を示す説明図である。
第１６図は現在地から施設を見る方向を示す説明図である。
第１７図は方向Ｂから見たときの施設の画像を示す説明図である。
第１８図は表示対象の施設を遮る周辺施設が存在する場合の表示対象の施設の表示内容を示す説明図である。
第１９図はこの発明の実施の形態９による施設表示装置を示す構成図である。
第２０図はこの発明の実施の形態１０による施設表示装置を示す構成図である。
【発明を実施するための最良の形態】  以下、この発明をより詳細に説明するために、この発明を実施するための最良の形態について、添付の図面に従って説明する。
実施の形態１．
第１図はこの発明の実施の形態１による施設表示装置を示す構成図であり、図において、設定受付部１は例えばリモコンから送信される赤外線等の操作信号を受信する外部インタフェース、あるいは、ユーザの操作を受け付けるキースイッチなどのマンマシンインタフェースから構成され、設定受付部１は目的地の設定や施設の表示方法の設定など、ユーザが各種の設定を行う際に利用する。
なお、設定受付部は設定手段を構成している。
マイク２はユーザの音声を入力し、音声認識部３はマイク２により入力されたユーザの音声の認識処理を実施する。
地図データ格納部４は３次元表示用の地図データや２次元表示用の地図データを格納しているメモリであり、施設データ格納部５は各種の施設の画像データ（例えば、ポリゴンデータ）や位置データなどをテキストデータに対応させて格納するとともに、デフォルトの表示方法などを格納しているメモリである。
施設特定部６は施設データ格納部５に格納されている施設の画像データや位置データの中から、音声認識部３の認識結果であるテキストデータに対応する施設の画像データや位置データを検索する。
なお、マイク２、音声認識部３、施設データ格納部５及び施設特定部６から施設特定手段が構成されている。
表示制御部７は例えば液晶ディスプレイなどの表示装置８を制御し、設定受付部１により設定された表示方法にしたがって施設特定部６により特定された施設の動画像又は静止画像を地図上に表示する。
なお、表示制御部７及び表示装置８から表示手段が構成されている。
第２図はこの発明の実施の形態１による施設表示装置の処理内容を示すフローチャートである。
次に動作について説明する。
第１図の施設表示装置は、表示装置８の表示領域を２分割して、一方の表示領域に３次元地図を表示して、他方の表示領域に２次元地図を表示することが可能であり、ユーザは、３次元地図や２次元地図に重ねて表示される施設（施設は、建築物などの人工物の他、樹木・自然公園などの自然物も含むものとする。）の表示方法を任意に設定することができる。
即ち、ユーザは、第７図に示すように、設定受付部１を操作することにより、施設の表示方法を設定するための入力画面を表示装置８に表示する（ステップＳＴ１１）。
ユーザは、設定受付部１を操作することにより、入力画面上で施設の表示方法を設定すると（ステップＳＴ１２）、設定受付部１がその設定内容を施設データ格納部５に格納する（ステップＳＴ１３）。
施設の表示方法の設定としては、例えば、施設の画像を動画像で表示するか、静止画像で表示するかの設定、施設の画像を動画像で表示する場合には動画パターンの設定などがあり、施設の画像を静止画像で表示する場合には施設の縮尺率の設定などがある。
ここでは説明の便宜上、施設の画像を動画像で表示する設定がなされ、その動画パターンとして、施設の画像を広域地図に３次元表示してから、その施設の画像をズームアップし、ズームアップの完了後に施設の画像を回転させる設定がなされたものとする。施設の画像をズームアップする手法は特に問うものではないが、例えば、コンピュータグラフィック技術を利用して、データの補間や間引きを実施することにより、ズームアップを実施するようにしてもよい。
なお、施設の表示方法が設定されると、その表示方法にしたがって例えばサンプル施設の画像が表示装置８に表示され、ユーザは、その表示方法を確認することができる。ユーザが当該表示方法を了承すると、その表示方法が施設データ格納部５に格納される。
ユーザが設定受付部１を操作して、施設の表示方法を設定すると、以後、施設の表示が可能になり、ユーザがマイク２に向けて施設の名称を発声すると（ステップＳＴ１）、マイク２がユーザの音声を入力し、音声認識部３がマイク２により入力されたユーザの音声の認識処理を実施する（ステップＳＴ２）。
例えば、ユーザが施設の名称として、“レインボーブリッジ”を発声すると、音声認識部３がユーザの音声を認識して、“レインボーブリッジ”を示すテキストデータを施設特定部６に出力する。
施設特定部６は、音声認識部３から音声の認識結果を示すテキストデータを受けると、そのテキストデータをキーにして、施設データ格納部５に格納されている施設の画像データや位置データの中から、表示対象の施設の画像データや位置データを検索する（ステップＳＴ３）。
この例では、“レインボーブリッジ”の画像データや位置データを検索する。
表示制御部７は、施設特定部６が表示対象の施設の画像データや位置データを検索することができれば（ステップＳＴ４）、その位置データを参照して、地図データ格納部４から当該施設が存在している地域の３次元表示用の地図データを取得する（ステップＳＴ５）。
なお、地図データ格納部４から取得する地図データは、施設が存在していることを確認できる程度の広域地図のデータ（例えば、１／１００００の縮尺率の地図データ）であるが、その地図データの縮尺率は、ユーザが設定受付部１を操作して任意に設定することができる。
表示制御部７は、地図データ格納部４から地図データを取得すると、設定受付部１により設定された表示方法にしたがって施設特定部６により特定された施設の画像を地図上に表示する（ステップＳＴ６）。
即ち、表示制御部７は、第３図に示すように、地図データ格納部４から取得した地図データにしたがって表示装置８に広域地図を表示するとともに、施設特定部６により検索された施設の画像データにしたがって施設の画像を広域地図に３次元表示する。
表示制御部７は、その後、施設の画像を予め決められた増加単位で徐々にズームアップし（第４図→第５図→第６図の順に参照）、施設の一部が表示装置８の表示領域から逸脱しない範囲内で、施設の画像を最大限ズームアップする（第６図を参照）。
表示制御部７は、施設の画像のズームアップが完了すると、施設の全体を把握することができるようにするため、施設の画像を水平面内で回転させて（予め設定された回転数だけ回転）、全ての方向から施設の画像を表示する。
ここでは、施設の画像のズームアップが完了してから、施設の画像を回転させるものについて示したが、施設の画像をズームアップしながら、施設の画像を回転させるようにしてもよい。また、画像の回転は、水平面内に限る必要はなく、垂直面内で回転させてもよいし、斜めの面内で回転させてもよい。また、これらを組み合せてもよい。
表示制御部７は、施設特定部６が表示対象の施設の画像データや位置データを検索することができなければ（ステップＳＴ４）、即ち、ユーザの音声に対応する施設の画像データや位置データが施設データ格納部５に格納されていなければ、ユーザの音声に対応する施設の画像データ等が施設データ格納部５に格納されていない旨を示すメッセージを表示装置８に表示する（ステップＳＴ７）。
以上で明らかなように、この実施の形態１によれば、設定受付部１により設定された表示方法にしたがって施設特定部６により特定された施設の動画像又は静止画像を地図上に表示するように構成したので、施設の全体像を容易に把握することができる効果を奏する。
また、この実施の形態１によれば、ユーザの音声を認識して表示対象の施設を特定するように構成したので、ユーザが面倒な操作を行うことなく、所望の施設の画像を表示することができる効果を奏する。
この実施の形態１によれば、施設特定部６により特定された施設の画像を広域地図に３次元表示してから、その施設の画像をズームアップするように構成したので、施設の位置を大まかに確認してから、施設の全体像を把握することができる効果を奏する。
また、この実施の形態１によれば、ズームアップと同時、あるいは、ズームアップの完了後に施設の画像を回転させるように構成したので、施設の全体像を容易に把握することができる効果を奏する。
さらに、この実施の形態１によれば、施設の全体が表示装置８の表示領域に収まる範囲内で、施設の画像をズームアップするように構成したので、施設の一部がカットされることなく、施設の全体が大きく表示されるようになる。
なお、この実施の形態１では、音声認識部３がユーザの音声を認識して表示対象の施設を特定するものについて示したが、ユーザが設定受付部１を操作して、表示対象の施設を特定するようにしてもよい。
具体的には、ユーザが設定受付部１を操作することにより、表示可能な施設の一覧表を表示装置８に表示して（第８図を参照）、その一覧表から表示対象の施設を選択するようにすればよい。
この場合も、ユーザが面倒な操作を行うことなく、所望の施設の画像を表示することができる効果を奏する。
また、この実施の形態１では、施設特定部６により特定された施設の画像を地図上に３次元表示するものについて示したが、施設の画像を地図上に２次元表示するようにしてもよい。
なお、施設の画像を２次元表示する場合、施設の画像を広域地図に表示してから、施設の画像を拡大表示することは可能である。
さらに、この実施の形態１では、地図データ格納部４が地図データを格納しているものについて示したが、地図データ格納部４のメモリ容量を節約するため、一部の地域の地図データのみを格納している場合がある。
したがって、地図データ格納部４が表示対象の施設が存在している地域の地図データを格納していないことがあり、このような場合には、外部のサーバから当該地域の地図データをダウンロードして、地図データ格納部４に格納するようにする。
即ち、表示制御部７は、第９図に示すように、例えば、ＧＰＳ衛星からＧＰＳデータを受信して現在地を検出し（ステップＳＴ２１）、現在地から目的地（表示対象の施設の位置データを参照）に至る経路を含む地域の地図データが地図データ格納部４に格納されているか否かを判定する（ステップＳＴ２２）。
表示制御部７は、その地域の地図データが地図データ格納部４に格納されていない場合、外部のサーバから当該地域の地図データをダウンロードして（ステップＳＴ２３）、地図データ格納部４に格納する（ステップＳＴ２４）。
実施の形態２．
上記実施の形態１では、表示制御部７が施設特定部６により検索された施設の画像データにしたがって施設の画像を広域地図に３次元表示したのち、その施設の画像を徐々にズームアップするものについて示したが、その後、ユーザから施設の拡大表示要求を受けると、表示制御部７がズームアップした施設の画像を更にズームアップするようにしてもよい。あるいは、施設内の特定物（例えば、商品）を拡大表示するようにしてもよい。
具体的には、ユーザが設定受付部１を操作することにより、施設の拡大表示要求を入力した場合、あるいは、音声認識部３がユーザの音声を認識し（第１０図のステップＳＴ３１，ＳＴ３２）、その音声の認識結果が例えば“しせつかくだい”である場合（ステップＳＴ３３）、表示制御部７がズームアップした施設の画像を更にズームアップし、その施設の画像を回転表示させる（ステップＳＴ３４）。
また、表示制御部７は、その音声の認識結果が例えば“しせつないかくだい”である場合（ステップＳＴ３５）、ズームアップした施設の画像を更にズームアップして施設内の特定物（例えば、商品）を拡大表示する（ステップＳＴ３６）。
この実施の形態２によれば、ユーザが希望する大きさになるまで、施設の画像を拡大することができるので、上記実施の形態１よりも更に施設の把握が容易になるとともに、施設内の特定物を確認することができる効果を奏する。
実施の形態３．
第１１図はこの発明の実施の形態３による施設表示装置を示す構成図であり、図において、第１図と同一符号は同一または相当部分を示すので説明を省略する。
設定受付部９は第１図の設定受付部１と同様に、目的地の設定や施設の表示方法の設定を受け付けるほか、施設の画像のズームアップ速度や、施設の画像の回転速度の設定を受け付ける機能を備えている。
上記実施の形態１では、表示制御部７が施設の画像をズームアップするとともに、施設の画像を回転させるものについて示したが、表示制御部７が設定受付部９により設定されたズームアップの速度又は回転の速度で、施設の画像をズームアップ又は回転させるようにしてもよい。
即ち、ユーザが設定受付部９を操作することにより、施設の画像のズームアップ速度と、施設の画像の回転速度とを設定すると、表示制御部７は、設定受付部９により設定されたズームアップ速度で施設の画像をズームアップし、設定受付部９により設定された回転速度で施設の画像を回転させる。
これにより、ユーザの希望する速度で、施設の画像のズームアップや、施設の画像の回転を実現することができる効果を奏する。
実施の形態４．
上記実施の形態１では、表示制御部７が施設の画像をズームアップするとともに、施設の画像を回転させるものについて示したが、ユーザから施設の再表示要求を受けると、再度、施設の画像を広域地図に３次元表示してから、その施設の画像をズームアップするとともに、その施設の画像を回転させるようにしてもよい。
即ち、表示制御部７が施設の画像のズームアップや、施設の画像の回転を実施した後に、ユーザから施設の再表示要求を受けると、上記実施の形態１と同様にして、表示制御部７が、再度、施設特定部６により検索された施設の画像データにしたがって施設の画像を広域地図に３次元表示したのち、施設の画像を徐々にズームアップしてから、施設の画像を回転させるようにする。
ただし、施設の再表示要求は、ユーザが設定受付部１を操作することにより入力してもよいし、音声認識部３がユーザの音声（例えば、“さいひょうじ”）を認識することにより入力してもよい。
この実施の形態４によれば、施設の画像のズームアップや、施設の画像の回転が完了した後に、再度、施設の画像をリプレイして見ることができるので、施設の全体像を確実に把握することができるようになる効果を奏する。
実施の形態５．
上記実施の形態１では、表示制御部７が施設の画像をズームアップするとともに、施設の画像を回転させるものについて示したが、ユーザから施設の詳細表示要求を受けると、その施設内の目的地の画像を表示するようにしてもよい。
例えば、目的地が高層ビル内のテナントである場合、上記実施の形態１では、ユーザが高層ビルのビル名を施設名として発声すると、高層ビルの画像が表示されるが、高層ビル内のテナントを特定する画像は表示されない。
この実施の形態５では、表示制御部７が高層ビルの画像を表示した後、ユーザから施設の詳細表示要求を受けると、第１２図に示すように、例えば、高層ビルの全体像を半透明に表示して、そのテナントが入っているフロア（階数）を明示し、そのフロア内のテナントの位置を表示する。
ただし、施設の詳細表示要求は、ユーザが設定受付部１を操作することにより入力してもよいし、音声認識部３がユーザの音声（例えば、“しょうさいひょうじ”）を認識することにより入力してもよい。
また、フロア内のテナントの位置を表示したのち、そのテナントをズームアップすることにより、そのテナントに展示されている特定物（例えば、商品）を拡大表示するようにしてもよい。
この実施の形態５によれば、ユーザから施設の詳細表示要求を受けると、その施設内の目的地の画像を表示するように構成したので、施設内の目的地の位置を確認することができる効果を奏する。
実施の形態６．
第１３図はこの発明の実施の形態６による施設表示装置を示す構成図であり、図において、第１図と同一符号は同一または相当部分を示すので説明を省略する。
現在地検出部１１は例えばＧＰＳ衛星から発信されるＧＰＳ信号を受信するＧＰＳ受信機などから構成され、ＤＧＰＳ（ディファレンスＧＰＳ）、リアルタイムキネマティック、ＶＲＳ、ＰＡＳなどの既存の測位技術を用いて、車両の現在地を検出して位置データを出力する。
方向特定部１２は現在地の位置データと表示対象の施設の位置データとを入力して、現在地から施設を見る方向を特定する。
表示制御部１３は第１図の表示制御部７と同様の処理機能を有するほかに、方向特定部１２により特定された方向に合わせて施設の画像を３次元表示する機能を有する。なお、現在地検出部１１、方向特定部１２、表示制御部１３及び表示装置８から表示手段が構成されている。
次に動作について説明する。
現在地検出部１１及び方向特定部１２が追加され、表示制御部１３の機能が追加されている点以外は、上記実施の形態１と同様であるため、相違点のみを説明する。
現在地検出部１１は、ＧＰＳ衛星から発信されるＧＰＳ信号を受信し、そのＧＰＳ信号から公知の測位技術を用いて、車両の現在地を検出して位置データを出力する。
方向特定部１２は、現在地検出部１１から現在地の位置データを入力し、施設特定部６から表示対象の施設の位置データを入力すると、これらの位置データに基づいて現在地から施設を見る方向を特定する。
例えば、車両が第１４図に示す位置を走行している場合には、施設を見る方向は方向Ａであると特定し、車両が第１６図に示す位置を走行している場合には、施設を見る方向は方向Ｂであると特定する。
表示制御部１３は、施設特定部６が表示対象の施設の画像データや位置データを検索すると、上記実施の形態１と同様に、その位置データを参照して、地図データ格納部４から当該施設が存在している地域の３次元表示用の地図データを取得する。
表示制御部１３は、地図データ格納部４から地図データを取得すると、上記実施の形態１と同様に、その地図データにしたがって表示装置８に広域地図を表示するとともに、施設特定部６により検索された施設の画像データにしたがって施設の画像を広域地図に３次元表示する。
ただし、表示制御部１３は、施設の画像を含む広域地図を表示する際、コンピュータグラフィック技術を用いて、方向特定部１２により特定された方向に合わせて施設の画像を３次元表示する。
即ち、施設を見る方向が方向Ａであれば（第１４図を参照）、方向Ａから見たときの施設の画像を広域地図に３次元表示して、その施設の画像をズームアップする（第１５図を参照）。
また、施設を見る方向が方向Ｂであれば（第１６図を参照）、方向Ｂから見たときの施設の画像を広域地図に３次元表示して、その施設の画像をズームアップする（第１７図を参照）。
表示制御部１３は、施設の画像のズームアップが完了すると、施設の全体を把握することができるようにするため、上記実施の形態１と同様に、施設の画像を回転させて、全ての方向から施設の画像を表示する。
ここでは、施設の画像のズームアップが完了してから、施設の画像を回転させるものについて示したが、施設の画像をズームアップしながら、施設の画像を回転させるようにしてもよい。
以上で明らかなように、この実施の形態６によれば、現在地から施設特定部６により特定された施設を見る方向を特定し、その方向に合わせて施設の画像を３次元表示するように構成したので、現在地から施設を見ることができる状況にあれば、実際に見える施設と表示装置８に表示されている施設の画像との見比べが容易になり、実際の施設を容易に確認することができるようになる効果を奏する。
実施の形態７．
上記実施の形態１では、表示制御部７が施設の画像を地図上に３次元表示するものについて示したが、その施設の周辺に大きな建物や山など（以下、周辺施設という）がある場合、表示対象の施設が周辺施設に遮られて明確に表示することができないことがある。
そこで、この実施の形態７では、施設特定部６により特定された施設を遮る周辺施設が存在する場合、表示制御部７が施設の周辺施設の表示トーンを下げて、施設特定部６により特定された施設を明確に表示する。
具体的には、表示制御部７は、第１８図Ａに示すように、周辺施設の画像を半透明に表示して、施設特定部６により特定された表示対象の施設を強調表示する。第１８図Ｂは第１８図Ａの施設を回転させた状態を示している。
あるいは、周辺施設の画像をモノクロ表示して、施設特定部６により特定された表示対象の施設をカラー表示する。
あるいは、施設特定部６により特定された表示対象の施設を拡大表示して、周辺施設の画像を縮小表示又は等倍表示する。
あるいは、施設特定部６により特定された表示対象の施設を点滅表示する。
以上で明らかなように、この実施の形態７によれば、表示対象の施設を遮る周辺施設が存在する場合でも、表示対象の施設を明確に表示することができる効果を奏する。
実施の形態８．
上記実施の形態１では、表示制御部７が施設の画像を地図上に３次元表示するものについて示したが、表示制御部７が施設特定部６により特定された施設の表示色を現在の時間帯又は天候に応じて切り替えるようにしてもよい。
例えば、現在の時間帯が日中であれば、表示制御部７が日差しを浴びている施設の画像を表示し、現在の時間帯が夜間であれば、表示制御部７が照明が点灯している施設の画像を表示するようにする。
また、天候が晴れであれば、表示制御部７が施設の画像の明度を高くし、天候が曇りや雨であれば、表示制御部７が施設の画像の明度を低くするようにする。なお、天候の情報は、例えば、インターネットなどから取得してもよいし、表示対象の施設の近傍を走行している車両のワイパの動きを検出して取得するようにしてもよい。
これにより、施設の画像を現在の状況に近づけることができる効果を奏する。
また、表示制御部７は、施設特定部６により特定された施設の周囲の表示色を現在の季節に応じて切り替えるようにしてもよい。
例えば、表示対象の施設の周囲に街路樹などが植えられている場合、現在の季節が春であれば、その街路樹を若草色で表示し、現在の季節が秋であれば、その街路樹を紅色で表示するようにする。
これにより、施設の周囲の画像を現在の状況に近づけることができる効果を奏する。
実施の形態９．
上記実施の形態１では、表示制御部７が施設の画像を地図上に３次元表示するものについて示したが、施設データ格納部５に各種の施設のガイダンス（例えば、施設の特徴、展示物や商品情報など）が格納されている場合、表示制御部７が施設特定部６により特定された施設の画像を地図上に３次元表示する際、施設データ格納部５から施設のガイダンスを取得して、そのガイダンスを表示装置８に表示するようにしてもよい。
また、第１９図に示すように、音声出力手段である音声合成部１４を実装し、その音声合成部１４が施設特定部６により特定された施設のガイダンスを音声出力するようにしてもよい。
この実施の形態９によれば、ユーザに有益な情報を提供することができる効果を奏する。
実施の形態１０．
第２０図はこの発明の実施の形態１０による施設表示装置を示す構成図であり、図において、第１９図と同一符号は同一または相当部分を示すので説明を省略する。
経路探索部１５は現在地から目的地に至る経路を探索するとともに、目的地の関連駐車場を探索する。
表示制御部１６は第１９図の表示制御部１３と同様の処理機能を有するほかに、経路探索部１５により探索された現在地から目的地に至る経路や目的地の関連駐車場を表示装置８に表示する機能を備えている。
なお、現在地検出部１１、方向特定部１２、経路探索部１５、表示制御部１６及び表示装置８から表示手段が構成されている。
次に動作について説明する。
経路探索部１５が追加され、表示制御部１６の機能が追加されている点以外は、上記実施の形態９と同様であるため、相違点のみを説明する。
経路探索部１５は、一般的なナビゲーション装置の経路探索機能を備えており、ユーザが設定受付部１を操作して目的地を設定し、あるいは、音声認識部３がユーザの音声を認識して目的地を設定し、現在地検出部１１が車両の現在地を検出して位置データを出力すると、地図データ格納部４に格納されている地図データを参照して、現在地から目的地に至る経路を探索するとともに、目的地の関連駐車場を探索する。
表示制御部１６は、経路探索部１５が現在地から目的地に至る経路や目的地の関連駐車場を探索すると、現在地から目的地に至る経路や目的地の関連駐車場を表示装置８に表示する。
以上で明らかなように、この実施の形態１０によれば、施設特定部６により特定された施設の画像の他に、現在地から目的地に至る経路や目的地の関連駐車場を表示するように構成したので、ユーザが容易に目的地に訪れることができる効果を奏する。
【産業上の利用可能性】  以上のように、この発明に係る施設表示装置は、例えば、目的地の施設を設定する際に、その施設の画像を表示する機能を実装するカーナビ等のナビゲーション装置に搭載するのに適している。
【図１】
2005104063.tif 000002
【図２】
2005104063.tif 000003
【図３】
2005104063.tif 000004
【図４】
2005104063.tif 000005
【図５】
2005104063.tif 000006
【図６】
2005104063.tif 000007
【図７】
2005104063.tif 000008
【図８】
2005104063.tif 000009
【図９】
2005104063.tif 000010
【図１０】
2005104063.tif 000011
【図１１】
2005104063.tif 000012
【図１２】
2005104063.tif 000013
【図１３】
2005104063.tif 000014
【図１４】
2005104063.tif 000015
【図１５】
2005104063.tif 000016
【図１６】
2005104063.tif 000017
【図１７】
2005104063.tif 000018
2005104063.tif 000019
【図１９】
2005104063.tif 000020
【図２０】
2005104063.tif 000021
【国際調査報告】
2005104063.tif 000022
2005104063.tif 000023
2005104063.tif 000024
2005104063.tif 000025